(57)【要約】【課題】花瓶に挿した花が果物若しくは野菜等の自然物から直接成長したかの如き錯覚を与えることができ、日常的に見ることのないメルヘンチックな雰囲気を違和感なく自然のものとして鑑賞できるようにすること。花瓶を含めて全体として装飾効果を高めること。花瓶から簡単に取り外すこと。使用性、経済性を高めること。【解決手段】花瓶５の花挿し孔５ａに載置される花立て用の造形物１である。造形物１は果物若しくは野菜等の自然物の外観を有すると共に花３を挿してその姿勢を保持するための挿し孔２が貫通形成されている。【選択図】　　　　図１
2004057269.tif 000002
【特許請求の範囲】
【請求項１】
花瓶の花挿し孔に載置される造形物であって、果物若しくは野菜等の自然物の外観を有すると共に花を挿してその姿勢を保持するための挿し孔が貫通形成されていることを特徴とする花立て用造形物。
【請求項２】
挿し孔は、造形物の略中央を上下方向に貫通する主挿し孔と、主挿し孔の周辺に設けられる複数の副挿し孔とで構成されていることを特徴とする請求項１記載の花立て用造形物。
【発明の詳細な説明】
【０００１】
【発明の属する技術分野】
本発明は、花瓶の花挿し孔に載置されて花の姿勢を保持するための花立て用造形物に関するものである。
【０００２】
【従来の技術】
一般に、生花や造花を花瓶に挿して飾るときに、花瓶の花挿し孔が大きい場合は、花がバラバラになってまとまりがなくなり、特に一輪差しの場合は一定の姿勢に保っておくことが困難であった。
【０００３】
かかる不具合を解消するために剣山等も使用されているが、生花はともかくとして、造花の場合は茎が針金や合成樹脂で作られている場合が多く、剣山の使用ができなかった。
【０００４】
そこで、従来より、特開平９−２８５３３号公報には、花茎を挿入保持しうる金網を花瓶の花挿し孔に嵌め込んで使用する方法が開示されており、特開平１１−１９２１４３号公報には、花瓶の狭窄部内に花茎を挿入保持しうる花立てを没入させた構造が開示されている。
【０００５】
【発明が解決しようとする課題】
ところが、特開平９−２８５３３号公報のように花立てを金網製とした場合にあっては、特に一輪差しの場合は金網が外部に露出して、見る者に違和感や不自然さを与えるばかりか、金網特有の冷たい感じを与えてしまうなど、見栄えが悪く、花茎を傷めやすく、そのうえ花立ては構造が単純で定形的な形をしているため、面白味に欠けるといった欠点がある。
【０００６】
また、特開平１１−１９２１４３号公報のように花立てを花瓶の狭い狭窄部中に没入して使用する場合にあっては、花立ての大きさや形状が花瓶の狭窄部によって制限され、このため少量の花しか挿すことができない上に、花瓶から花立てを取り出すことが困難であるといった欠点もある。
【０００７】
本発明は、上記の従来例の問題点に鑑みて発明したものであって、その目的とするところは、花瓶に挿した花が果物若しくは野菜等の自然物から直接成長したかの如き錯覚を与えることができ、日常的に見ることのないメルヘンチックな雰囲気を違和感なく、自然のものとして鑑賞できるようにすると共に、全体としての装飾効果を高めることができ、しかも花瓶から簡単に取り外すことができ、使用性、経済性に優れた花立て用造形物を提供することにあり、他の目的とするところは、一輪差しや装飾的に盛りつける盛花のいずれの場合でも安定姿勢で保持できる花立て用造形物を提供することにある。
【０００８】
【課題を解決するための手段】
上記課題を解決するために本発明にあっては、花瓶５の花挿し孔５ａに載置される造形物であって、果物若しくは野菜等の自然物の外観を有すると共に花３を挿してその姿勢を保持するための挿し孔２が貫通形成されていることを特徴としており、このように構成することで、花瓶５の花挿し孔５ａに造形物１を載置して挿し孔２に花３を挿すことによって、果物若しくは野菜等の自然物から花３が直接成長したかの如き錯覚を与えることができ、日常的に見ることのないメルヘンチックな雰囲気を違和感なく自然のものとして鑑賞できるようになる。
【０００９】
また上記挿し孔２は、造形物１の略中央を上下方向に貫通する主挿し孔２ａと、主挿し孔２ａの周辺に設けられる複数の副挿し孔２ｂとで構成されているのが好ましく、この場合、一輪差しの場合は主挿し孔２ａを使用することによって安定姿勢で保持でき、装飾的に盛りつける盛花の場合は主挿し孔２ａと複数の副挿し孔２ｂとを使用することによって花３を横に広げた状態で且つ倒れないように安定姿勢で保持できるようになる。
【００１０】
【発明の実施の形態】
以下、本発明を添付図面に示す実施形態に基づいて説明する。
【００１１】
本発明の花立て用造形物（以下、「造形物１」と略称する）は、図１に示すように、花３の安定した姿勢を保持するために、花瓶５の花挿し孔５ａに載置されて使用されるものである。
【００１２】
造形物１は、図２に示すように、略球状に形成されている。その材質は、例えば発泡体、陶器、ガラス、木質材、ろう等が一例として挙げられる。なお高級感を得るためには重量感のあるものが望ましい。
【００１３】
造形物１は、果物若しくは野菜等の自然物の外観をしている。その一例として、発泡体の表面に例えば塩ビ、ＰＰ、ＰＥＴ等の合成樹脂からなるフィルムを貼着したもの、若しくは陶器の表面を釉薬で色付けしたもの等が挙げられる。この造形物１の表面層が、図２（ｄ）（ｅ）に示す果皮７などを描写している。ここで、造形物１で表現される果物をより具体的に示すと、果樹等で多年層にわたって結実するもの、例えば、リンゴ、ミカン、柿、栗（いが付き）、ナシ、桃、レモン、サクランボ、オレンジ、ミカン、グレープフルーツ等が挙げられる。また造形物１で表現される野菜をより具体的に示すと、単年毎に種を撒いて結実するもの、例えば、トマト、ピーマン、イチゴ、スイカ、メロン、パイナップル、ジャガイモ、サツマイモ、タマネギ、カボチャ、ナスビ、レタス、キャベツ等のが挙げられる。ここで、トマトのようにヘタのあるものでは、図２に示すように造形ヘタ８を取り付け、この造形ヘタ８を下にして花瓶５の花挿し孔５ａに乗せるようにする。一方、リンゴのようにヘタ無しのものでは、柄がついている側と反対側の部分を下にして花瓶５の花挿し孔５ａに乗せることで、花瓶５の花挿し孔５ａへの造形物１の座りを安定化させることができる。なお、上記造形物１は花瓶５の花挿し孔５ａの大きさに応じて、大、中、小の各種サイズが製作され、異なる大きさの花瓶５の花挿し孔５ａに対応できるようにするのが望ましい。
【００１４】
ここで、上記造形物１中に芳香剤を添着させるのが望ましい。その一例を説明すると、造形物１を発泡体で形成する場合にあっては、例えば発泡材料中に芳香剤を混入して成形する方法、或いは成形後の発泡体に後から芳香剤を注入する方法がある。この場合、発泡体の表面は上記合成樹脂からなるフィルムで覆われているため、芳香は造形物１に設けた主挿し孔２ａ及び副挿し孔２ｂから外部に放出されるようになる。さらに他の例として、造形物１の表面に凹みを設け、凹みの中に芳香剤を溜めておく方法もある。これにより、造形物１自体から芳香が放出されるようになる。ここで、気分をリラックスさせる香りとしてラベンダー、マージョラム、ゼラニウム、気分をリフレッシュさせる香りとしてミント、ローズマリー、レモングラス、カルダモン等のエッセンシャルオイル（精油）を選択して採用することができる。このようなエッセンシャルオイル（精油）を使用することにより造形物１を利用したアロマテラピー（芳香治療）効果が期待でき、造形物１の商品価値がより一層高められる。なお芳香剤に代えて、森林浴のフィトンチットや消臭剤を使用することもできる。つまり本発明の造形物１を載置した花瓶を置く場所によって香りの種類を自由に選択することができるものである。
【００１５】
さらに、造形物１には、花３を挿してその姿勢を保持するための挿し孔２が貫通形成されている。挿し孔２は造形物１の外観、形状を崩さない程度の大きさとする。ここでは、挿し孔２は、造形物１の略中央を上下方向に貫通する１個の主挿し孔２ａと、主挿し孔２ａの周辺に設けられる複数個（６〜８個程度）の副挿し孔２ｂとを有している。図２に示す例では、主挿し孔２ａは、１本の太い茎４若しくは複数本の細い茎４をまとめて挿すことができる大きさ（例えば直径１〜３ｃｍ程度）の孔からなる。この主挿し孔２ａは、図２（ｄ）のように直筒状に形成してもよいが、同（ｄ）の破線２ａ’のように、上端で広く下端になる程狭くなるように傾斜させてもよい。要は上から茎４を挿し易く、且つ挿した後は茎４がばらつかないように安定姿勢でまとめて保持できる孔の形状であればよい。一方、複数の副挿し孔２ｂは、それぞれ、１本の細い茎４を挿すことができる大きさ（例えば直径１ｃｍ程度）の孔からなる。この副挿し孔２ｂは斜めに傾斜しており、図２（ｅ）に示すように、その下端２ｃが主挿し孔２ａの下端に連通している。これにより副挿し孔２ｂに挿した茎４は主挿し孔２ａを通って造形物１の下方に突出するようになり、副挿し孔２ｂにおいても茎４を安定した姿勢で保持できるようにしている。ここで、副挿し孔２ｂの下端２ｃは必ずしも主挿し孔２ａに連通させる必要はなく、造形物１の下面に開口させてもよいものである。また本例では、図２（ａ）に示すように、主挿し孔２ａ及び副挿し孔２ｂの断面形状は、茎４の部分を痛めたり折損させたりすることがないように、それぞれ丸く形成されているが、もちろん、四角、三角などの角形であってもよい。また、副挿し孔２ｂを主挿し孔２ａを中心として円弧を描くように細長く形成してもよい。さらに挿し孔２を目立ち難くするために、挿し孔２の内面に造形物１の果肉と同じ色を施すのが望ましい。なお、主挿し孔２ａ、副挿し孔２ｂの大きさ、数、形状は造形物１の大きさに応じて適宜設計変更自在である。また、副挿し孔２ｂを省略して主挿し孔２ａのみを設けてもよいものであり、逆に、主挿し孔２ａを省略して副挿し孔２ｂのみを設けてもよいものである。
【００１６】
上記造形物１によって保持される花３は生花、造花を問わない。また造形物１の種類も特に限定されず、例えばハスの実、ほおずき等が挙げられる。
【００１７】
また、造形物１を載置する花瓶５は、図１に示す例には限定されない。例えば、図６（ａ）〜（ｃ）に示すような容器部５ｂの上端部に本発明品の造形物１を安定良く載置できる花挿し孔５ａを備えたものであればよい。
【００１８】
上記構成の造形物１を使用するにあたっては、先ず、花瓶５の花挿し孔５ａに造形物１を載置し、造形物１の挿し孔２に花３を挿す。これにより、果物若しくは野菜等の自然物から花３が直接成長したかの如き錯覚を与えることができ、日常的に見ることのないメルヘンチックな雰囲気を違和感なく、自然のものとして鑑賞できるようになると共に、存在感や面白味があり、見る人を十分に惹き付けることができる結果、全体としての装飾効果を高めることができ、人が集まる場所のインテリア等としても最適に使用できるものである。
【００１９】
また、従来の剣山などを用いて生花を生ける場合、単純に切花を挿して飾れば良いのではなく、技術的な専門性あるいは熟練が必要であった。しかし、本発明の造形物１を用いれば、技術的に専門性のない人であっても単純に花３を所望の傾きに且つ見栄え良く生けることができる。つまり図１に示す一輪差しの場合は主挿し孔２ａを使用することによって安定姿勢で保持できるようになる。一輪差しの場合に花３が傾くのを防止する方法として、花３の葉の部分を主挿し孔２ａの内面に押し付けたり、あるいは茎４の部分に目立たないようにスペーサを取付けたりすることで、外観を損なうことなく花３を主挿し孔２ａの中央に傾かないように位置決めでき、見栄え良く保持できるようになる。また図３、図４に示すように装飾的に盛りつける盛花の場合は、主挿し孔２ａと複数の副挿し孔２ｂとを使用することによって花３を横に広げた状態で且つ倒れないように安定姿勢で保持できる。図５は乾燥草花６を主挿し孔２ａに挿した場合の一例である。このように大きさの異なる主挿し孔２ａと副挿し孔２ｂとを任意に選択して使い分けることで、ユーザーの所望のイメージにあわせてオリジナルに花３を生けることができる。さらに、図７（ａ）の矢印イで示すように、茎４の部分を所定の高さで折った状態で主挿し孔２ａに挿すことによって、細い茎４であっても倒れないように保持できる。また図７（ｂ）に示すように、花瓶５の底に紙などの詰め物１０を置くことによって、使用者が望むところに従って茎４を安定良く保持できる。ここで、詰め物１０として、紙に限られず、例えば脱臭作用のある活性炭や炭、或いは発泡スチロール等を配置してもよい。もちろん、これらに限らず、生花を生けるための水であってもよい。
【００２０】
また本例では、造形物１の中央を貫通して１個の主挿し孔２ａが形成され、主挿し孔２ａの周辺に複数個（６〜８個程度）の副挿し孔２ｂがほぼ等間隔で設けられているため、主挿し孔２ａと複数の副挿し孔２ｂとが造形物１全体にバランス良く配置されるようになり、造形物１の外観デザイン性が一層良くなる。
【００２１】
また、造形物１の材質に発泡体を使用すれば、軽量で量産化にも適し、コストの低減を図ることができ、経済性にも優れている。さらに発泡体の中に重りを入れて重量化を図るようにしてもよい。
【００２２】
さらに造形物１は花瓶５の花挿し孔５ａから取り外すことができるため、洗いが簡単であり、また手軽に交換できるなど、使用性にも優れている。
【００２３】
【発明の効果】
上述のように請求項１記載の発明にあっては、花瓶の花挿し孔に載置される造形物であって、果物若しくは野菜等の自然物の外観を有すると共に花を挿してその姿勢を保持するための挿し孔が貫通形成されているので、果物若しくは野菜等の自然物から花（生花、造花を問わず）が直接成長したかの如き錯覚を与えることができる。これにより、日常的に見ることのないメルヘンチックな雰囲気を違和感なく自然のものとして鑑賞できるようになる。また、花瓶を含めて全体として装飾効果を高めることができるので、見る人を十分に惹き付けることができ、人が集まる場所のインテリア等としても最適に使用できる。さらに造形物を花瓶の花挿し孔から簡単に取り外すことができるため、洗いが簡単であり、使い勝手も良くなる。
【００２４】
また請求項２記載の発明は、請求項１記載の効果に加えて、挿し孔は、造形物の略中央を上下方向に貫通する主挿し孔と、主挿し孔の周辺に設けられる複数の副挿し孔とで構成されているので、一輪差しの場合は主挿し孔を使用することによって安定姿勢で保持でき、また装飾的に盛りつける盛花の場合には、主挿し孔と複数の副挿し孔とを使用することによって花を横に広げた状態で且つ倒れないように安定姿勢で保持できる。さらに主挿し孔と副挿し孔とを任意に選択使用することで、ユーザーの所望のイメージにあわせてオリジナルに花を立てることができる。
【図面の簡単な説明】
【図１】本発明の造形物を用いた一輪差しの一例を示す斜視図である。
【図２】同上の造形物を示し、（ａ）は斜視図、（ｂ）は上面図、（ｃ）は下面図、（ｄ）は（ｂ）のＡ−Ａ線断面図、（ｅ）は（ｂ）のＢ−Ｂ線断面図である。
【図３】同上の造形物を用いて装飾的に盛りつける盛花の一例を示す斜視図である。
【図４】同上の盛花の他の例を示す斜視図である。
【図５】同上の造形物に草花を挿した場合の一例を示す斜視図である。
【図６】（ａ）〜（ｃ）は同上の造形物が載置される花瓶の例を示す断面図である。
【図７】（ａ）は同上の茎を折って挿し孔に挿した状態を示し、（ｂ）は花瓶の底に紙などの詰め物をした場合の一例の説明図である。
【符号の説明】
１　造形物
２　挿し孔
２ａ　主挿し孔
２ｂ　副挿し孔
３　花
５　花瓶
５ａ　花挿し孔
【図１】
2004057269.tif 000003
【図２】
2004057269.tif 000004
【図３】
2004057269.tif 000005
【図４】
2004057269.tif 000006
【図５】
2004057269.tif 000007
【図６】
2004057269.tif 000008
【図７】
2004057269.tif 000009